(57)【要約】【課題】  非常に強い風雨が壁面に吹き付けられても、建物の壁部の貫通孔の開口部や給排気用ダクトの開口部から、雨水や外気が侵入することを低減できる配管カバーを提供する。【解決手段】  建物の壁部２に形成した貫通孔３を通して屋外に導出され壁面４に沿って屈曲・配設される電線、配管類からなる配管類５の屈曲部分６を壁面４との間で覆うカバー本体７を備えたカバーおいて、カバー本体７に、貫通孔３の開口９の外周縁部１０の面方向に沿って開口する通気口１１を設けた。【選択図】      図１
2005233313.tif 000002
【特許請求の範囲】
【請求項１】
建物の壁部に形成した貫通孔を通して屋外に導出され壁面に沿って屈曲・配設される電線、配管類からなる導出管線体の屈曲部分を、前記壁面との間で覆うカバー本体を備えた配管カバーであって、
前記カバー本体に、前記貫通孔の開口の外周縁部の面方向に沿って開口する通気口を設けた事を特徴とする配管カバー。
【請求項２】
請求項１記載の配管カバーであって、前記貫通孔の開口に相対する位置に、開口に相対する突出部を前記カバー本体に設け、この突出部の周側壁に前記通気口が設けられていることを特徴とする配管カバー。
【請求項３】
請求項２記載の配管カバーであって、前記通気口が前記突出部の周側壁の周方向全域にわたり所定の間隔で設けられた複数のスリットで形成され、前記突出部を覆うと共に、突出部と外方とを連通する開口部分が形成されたウェザーカバーを前記カバー本体に回動可能に設け、該ウェザーカバーには前記複数のスリットのいずれかに弾性係合してウェザーカバーを位置決めする係合突部が設けられていることを特徴とする配管カバー。
【請求項４】
請求項１記載の配管カバーであって、前記カバー本体が、前記貫通孔の屋外に面した開口に相対する相対壁部と、前記貫通孔の開口の外周縁部から前記相対壁部に向けて立ち上がる外周側壁部とからなり、前記通気口が前記外周側壁部に形成されていることを特徴とする配管カバー。
【請求項５】
請求項４記載の配管カバーであって、前記通気口が所定の間隔をあけて設けられた複数のスリットで形成され、該スリットは、前記カバー本体の外周側壁の外方から内方に向けて傾斜していることを特徴とする配管カバー。
【発明の詳細な説明】
【技術分野】
【０００１】
本発明は、建物の壁部に形成した貫通孔を通して屋外に導出され壁面に沿って屈曲・配設される電線や、エアコン等の配管類の屈曲部分を建物の壁面との間で覆う配管カバーに関する。
【背景技術】
【０００２】
空気調和機（エアコン）等の室外機と室内機とを連結する冷媒管等の配管類や、電線等（導出管線体）は、建物の壁部に設けた貫通孔を通して、屋内から屋外へ導出され、屋外へ導出された配管類や電線等は建物の壁面に沿って屈曲され、配設されている。配管類や電線等が貫通孔から屋外に導出される屈曲部分は、配管カバーによって覆われ保護されている。また、配管類や電線等を屋内から屋外へ導出するための上記貫通孔の機能として、屋内の空気を排出し、屋外の空気を屋内に取り込む空気流通路の機能も有している。
【０００３】
このような配管カバーとして、空気流通路を通る空気を配管カバーの外に給排気するための通気口を、貫通孔の開口部に相対する位置に設けた例が特許文献１で開示されている。この配管カバーは、貫通孔の屋外側の開口部の外周縁部に固定される下カバーと、この下カバーに一体に取り付けられると共に、貫通孔の屋外側の開口部に相対する位置に複数のスリットからなる通気口が設けられた上カバーと、通気口を覆うように取り付けられたウェザーカバーとで形成されている。
【０００４】
そして、この配管カバーは、貫通孔を流通する空気を配管類と分離して効率良く給排気することができるようになっている。
【特許文献１】特許第０３２８０５７９号
【発明の開示】
【発明が解決しようとする課題】
【０００５】
ところが、特許文献１で記載された配管カバーは、貫通孔の開口部や、あるいは屋内側の空気を給排気するための給排気用ダクトの開口部が、通気口と相対（通気口が貫通孔の開口部や給排気用ダクトの開口部の正面に位置する）し、一直線上に並んでしまう為、台風等の非常に強い風雨が壁面に吹き付けると、通気口を通って、貫通孔や給排気用ダクトの開口部から雨水や外気が屋内に侵入する恐れがある。また、給排気用ダクト内に風が吹き込むと、ダクト内で異音が発生する。
【０００６】
そこで、本発明は、非常に強い風雨が壁面に吹き付けられても、建物の壁部の貫通孔の開口部や給排気用ダクトの開口部から、雨水や外気が侵入することを低減できる配管カバーの提供を目的とする。
【課題を解決するための手段】
【０００７】
上記目的を達成するため、請求項１の発明は、建物の壁部に形成した貫通孔を通して屋外に導出され壁面に沿って屈曲・配設される電線、配管類からなる導出管線体の屈曲部分を、前記壁面との間で覆うカバー本体を備えた配管カバーであって、前記カバー本体に、前記貫通孔の開口の外周縁部の面方向に沿って開口する通気口を設けたことを特徴とする。
【０００８】
この配管カバーでは、屋内から排出される空気は、建物の壁部の貫通孔を通り、貫通孔の開口の外周縁部の面方向に沿って開口した通気口から屋外に排出される。また、外気は、貫通孔の開口の外周縁部の面方向に沿って設けた通気口から配管カバー内を通って貫通孔を通り、屋内に供給される。この場合、強い風雨が建物の壁面に吹き付けても、通気口が貫通孔の軸方向に対して交差する方向に向けて開口しているので、雨水や風が貫通孔に侵入しにくく、屋内への雨水や風の侵入を防止することができる。
【０００９】
請求項２の発明は、請求項１記載の配管カバーであって、前記貫通孔の開口に相対する位置に、開口に相対する突出部を前記カバー本体に設け、この突出部の周側壁に前記通気口が設けられていることを特徴とする。
【００１０】
この配管カバーでは、屋内から排出される空気は、建物の壁部の貫通孔を通過し、突出部内から、周側壁に設けた通気口を通って外方に排出される。また、外気は、突出部の周側壁に設けた通気口から突出部内に入り、貫通孔を通って屋内に供給される。この場合、強い風雨が建物の壁面に吹き付けても、通気口が貫通孔の開口に相対する位置に設けた突出部の周側壁に設けられているので、雨水や風が貫通孔に侵入しにくく、屋内への雨水や風の侵入を防止することができる。
【００１１】
請求項３の発明は、請求項２記載の配管カバーであって、前記通気口が前記突出部の周側壁の周方向全域にわたり所定の間隔で設けられた複数のスリットで形成され、前記突出部を覆うと共に、突出部と外方とを連通する開口部分が形成されたウェザーカバーを前記カバー本体に回動可能に設け、該ウェザーカバーには前記複数のスリット状通気口のいずれかに弾性係合してウェザーカバーを位置決めする係合突部が設けられていることを特徴とする。
【００１２】
この配管カバーでは、屋内から排出される空気は、建物の壁部の貫通孔を通過し、突出部内から、周側壁に設けた通気口を通ってウェザーカバー内に排出され、ウェザーカバーの開口部分から外方へ排出される。また、外気は、ウェザーカバーの開口部分からウェザーカバー内に入り、突出部の周側壁に設けた通気口から突出部内、貫通孔を通って屋内に供給される。
【００１３】
この場合、強い風雨が建物の壁面に吹き付けても、通気口が貫通孔の開口に相対する位置に設けた突出部の周側壁に設けられ、ウェザーカバーによって覆われているので、雨水や風が突出部、貫通孔内に侵入しにくく、屋内への雨水や風の侵入を防止することができる。
【００１４】
また、ウェザーカバーがカバー本体に回動可能に設けられているので、任意の位置に開口部分を設定することができる。これにより、カバー本体が例えば建物の壁部にあらゆる方向で取り付けられても、ウェザーカバーの開口部分を下向きにして配置することができる。
【００１５】
請求項４の発明は、請求項１記載の配管カバーであって、前記カバー本体が、前記貫通孔の屋外に面した開口に相対する相対壁部と、前記貫通孔の開口の外周縁部から前記相対壁部に向けて立ち上がる外周側壁部とからなり、前記通気口が前記外周側壁部に形成されていることを特徴とする。
【００１６】
この配管カバーでは、屋内から排出される空気は、建物の壁部の貫通孔を通過し、外周側壁部に設けた通気口を通って外方へ排出される。また、外気は、外周側壁部に設けた通気口を通ってカバー本体内に入り、貫通孔を通って屋内に供給される。
【００１７】
この場合、強い風雨が建物の壁面に吹き付けても、通気口が、カバー本体の外周側壁部に設けられているので、貫通孔内に侵入しにくく、屋内への雨水や風の侵入を防止することができる。
【００１８】
請求項５の発明は、請求項４記載の配管カバーであって、前記通気口が所定の間隔をあけて設けられた複数のスリットで形成され、該スリットは、前記カバー本体の外周側壁の外方から内方に向けて傾斜していることを特徴とする。
【００１９】
この配管カバーでは、通気口がカバー本体の外周側壁の外方から内方に向けて傾斜しているので、強い風雨が建物の壁面に吹き付けても、貫通孔内に侵入しにくく、屋内への雨水や風の侵入を防止することができる。
【発明の効果】
【００２０】
請求項１の発明によれば、通気口が貫通孔の開口の外周縁部の面方向に対して開口しているので、通気口が貫通孔の開口と相対することがなく、一直線に並んでいないため、強い風雨が建物の壁面に吹き付けても、雨水や風が貫通孔に侵入しにくく、屋内への雨水や風の侵入を防止することができる。
【００２１】
請求項２の発明によれば、強い風雨が建物の壁面に吹き付けても、通気口が、貫通孔の開口に相対する位置に設けた突出部の周側壁に設けられているので、雨水や風が貫通孔に侵入しにくく、屋内への雨水や風の侵入を防止することができる。
【００２２】
請求項３の発明によれば、強い風雨が建物の壁面に吹き付けても、通気口が、貫通孔の開口に相対する位置に設けた突出部の周側壁に設けられ、ウェザーカバーによって覆われているので、雨水や風が突出部、貫通孔内に侵入しにくく、屋内への雨水や風の侵入を防止することができる。
【００２３】
請求項４の発明によれば、強い風雨が建物の壁面に吹き付けても、通気口が、カバー本体の外周側壁部に開口しているので、貫通孔内に侵入しにくく、屋内への雨水や風の侵入を防止することができる。
【００２４】
請求項５の発明によれば、通気口がカバー本体の外周側壁の外方から内方に向けて傾斜し、強い風雨が建物の壁面に吹き付けても、通気口が、カバー本体の外周側壁部に設けられているので、貫通孔内に侵入しにくく、屋内への雨水や風の侵入を防止することができる。
【発明を実施するための最良の形態】
【００２５】
以下、本発明の実施形態を図面に基づいて説明する。
【００２６】
（第１実施形態）
図１及び図２に示すように、本実施形態の配管カバー１は、建物の壁部２に形成した貫通孔３を通して屋外に導出され、壁面４に沿って屈曲・配設される電線、配管類からなる導出管線体（以下「配管類」という）５の屈曲部分６を壁面４との間で覆うカバー本体７と、このカバー本体７に一体に組み付けられるウェザーカバー８とで形成されている。そして、本実施例のカバー本体７には、貫通孔３の開口９の外周縁部１０の面方向に沿って開口する通気口１１が設けられている。
【００２７】
カバー本体７は、建物の壁部２の屋外１２側の開口９の外周縁部１０に固定される平板状のベース１３と、このベース１３に組み付けられてベース１３との間に配管類５が挿通される挿通空間１４を形成するカバー部１５とで形成されている。ベース１３には、壁面４に当接する基板部１６と、この基板部１６の外周部分から立設されてカバー部１５の内側に設けた爪部（不図示）が係合しカバー部１５をベース１３に組み付ける一対の受部１７、１７とが形成されている。
【００２８】
基板部１６には、壁部２の開口９の一部に倣って弧状に切り欠かれた通気切欠口１８と、基板部１６の中央部分に設けられてベース１３を壁面４に固定するねじ４５が挿通されるねじ挿通孔１９とが形成されている。また、受部１７には、カバー部１５の爪部が係止する係止部２０と、中央部分にねじ孔２１が設けられたボス部２２とが設けられている。このベース１３上に、図１に示すように、カバー部１５が組み付けられる。
【００２９】
カバー部１５は、壁部２の開口９に相対する開口覆い部２３と、この開口覆い部２３と一体に設けられ配管類５が引き出される引出口２４をベース１３の基板部１６とで形成する引出口形成部２５とで形成されている。なお、図１において、符号５０は、引出口２４に連結されて配管類５の直線部分を覆う配管カバーである。
【００３０】
開口覆い部２３は、壁部２の開口９の外周縁部１０に当接する弧状の鍔部２６と、壁部２の貫通孔３の開口９に相対する相対壁部２７と、この相対壁部２７と鍔部２６とを連結すると共に、開口９の外周縁部１０側から立ち上がる外周側壁部２８と、相対壁部２７に突出して設けられて貫通孔３の開口９に相対する位置に設けられた突出部２９とで形成されている。
【００３１】
鍔部２６には、引出口２４の反対側にねじ挿通孔４６が形成された取付片４７が設けられている。また、引出口形成部２５には、一対のねじ孔４９、４９が設けられている。ねじ挿通孔４６にはねじ４８が挿通され、ねじ孔４９、４９には図示しないねじが挿通される。ねじ孔４９、４９に挿通された図示しないねじをベース１３のボス部２２のねじ孔に螺合することで、カバー部１５がベース１３に組み付けられる。
【００３２】
突出部２９は、略円筒状で、貫通孔３の開口９に相対する対向壁部３０と、周側壁３１とで形成されている。周側壁３１には、周方向全域にわたり、所定の間隔をあけて軸方向に沿う複数のスリットからなる通気口１１が設けられている。これらのスリットからなる通気口１１は、貫通孔３の開口９の外周縁部１０の面方向に沿って開口して設けられている（給排気ダクト３２から給排気される空気の流れ方向に対して交差する方向に向けて開口している）。すなわち、貫通孔の軸方向に対して交差する方向であり、開口に対して交差する方向であり、開口９の外周縁部１０の面方向であって、開口９から面方向に沿って放射状に向かう方向に向けて通気口１１が開口している。また、対向壁部３０には、中心部分にウェザーカバー８が組み付けられる嵌合穴部３３が設けられている。
【００３３】
ウェザーカバー８は、突出部２９の周方向の約半分を覆う弧状部分３４と、相対壁部２７との間に開口部分３５を形成するコ字型の引出壁３６とで形成されている。弧状部分３４の内側には、図３に示すように、中心部に弾性フック３７が形成されている。この弾性フック３７は、筒状に形成され周方向に４つのスリット３８が設けられて形成された４つの弾性片３９と、これらの弾性片３９のうち対向する２片の先端部に設けられた鉤突部４０とで形成されている。これらの４つの弾性片３９は、突出部２９の対向壁部３０に設けた嵌合穴部３３内に回動可能に挿入される。
【００３４】
また、弧状部分３４の側壁４１の内側には、一対の係合突部４２、４２が互いに対向して設けられている。この係合突部４２は、側壁４１から突設された２枚の板４３、４３で形成されている。板４３、４３の先端部（自由端側）同士は接合されて係合片部４４を形成している。この係合片部４４が、突出部２９の複数のスリットの一つに挿入・係合することで、ウェザーカバー８の回動方向の位置決めがなされる。また、係合片部４４は、ウェザーカバー８を強制的に回動させることで、側壁４１が弾性変形してスリット間を乗り越えて隣接するスリットに係合する。従って、ウェザーカバー８を、例えば、図５に示すように、開口部分３５が引出口形成部２５と反対側に位置した状態や、図６に示すように引出口形成部２５に対して略直角方向に開口部分３５が位置した状態に配置することができ、突出部２９に対する回転方向の任意の位置に位置決めすることができ、引出口２４を任意の位置に設定することができる。
【００３５】
次に、上記構成のカバー１を壁部２の壁面４に取り付ける手順について説明する。
【００３６】
先ず、ベース１３を、貫通穴３の開口９に通気切欠口１８を位置合わせし、ねじ挿通穴１９を挿通させたねじ４５により壁面４に固定する。次に配管類５を貫通穴３を通して屋内から屋外１２に配設し、開口９の近くで壁面４に沿わせて屈曲させる。このとき、配管類５をベース１３の一対の受部１７間に挿入して配設する。この状態からカバー部１５をベース１３に合わせて、ねじ止め固定する。このとき、給排気ダクト３２の先端部３２ａを突出部２９内に位置させる。次に、ウェザーカバー８を突出部２９を覆うようにカバー部１５に組み付ける。この場合、弾性フック３７を嵌合穴部３３に挿入し、鉤突部４０を嵌合穴部３３に係止する。この動作は、ウェザーカバー８をカバー部１５側へ押圧することでワンタッチで行うことができる。なお、ウェザーカバー８は、カバー部１５に予め取り付けておいても良い。
【００３７】
ウェザーカバー８をカバー部１５に組み付けた後に、ウェザーカバー８を回動させて、開口部分３５を任意の位置に移動させる。通常は、図１に示すように、下方側へ開口部分３５が位置するように回動させる。この状態では、スリットに係合片部４４が係合することにより、位置決めされる。
【００３８】
そして、屋内側の空気は、給排気ダクト３２を通って、突出部２９内に排出され、突出部２９のスリット状の通気口１１から貫通穴３の開口９の外周縁部１０の面方向に沿って排出され、ウェザーカバー８の開口部分３５から屋外１２に排出される。
【００３９】
また、貫通穴３を通って排出される空気も、突出部２９を通って、スリット状の通気口１１から貫通孔３の開口９の外周縁部１０の面方向に沿って排出され、開口部分３５から屋外１２に排出される。
【００４０】
開口部分３５から吸入された屋外１２の外気は、通気口１１を通って突出部２９内に入り、給排気ダクト３２を通って屋内に供給される。また、突出部２９内に入った外気は、貫通穴３を通って屋内に供給される。
【００４１】
本実施形態の配管カバー１では、カバー部１５に突出部２９を設け、この突出部２９の周側壁３１に複数のスリットからなる通気口１１を設けたので、通気口１１が貫通孔３の開口９と相対することがなく、一直線上に並んでいないため、例えば、強い風雨が建物の壁面４に吹き付けても、通気口１１が貫通孔３の開口９の外周縁部１０の面方向に沿って開口しているので、雨水や風が貫通孔３に侵入しにくく、屋内への雨水や風の侵入を防止することができる。加えて、風が貫通孔３や、給排気ダクト３２に入り込むことが低減されるので、異音の発生を防止することができる。
【００４２】
また、通気口１１が、貫通孔３に相対する位置に設けた突出部２９の周側壁３１に設けられ、ウェザーカバー８によって覆われているので、雨水や風が突出部２９、貫通孔３内に侵入しにくく、屋内への雨水や風の侵入を防止することができる。
【００４３】
また、本実施形態では、ウェザーカバー８がカバー部１５にワンタッチで組み付けることができ、しかも、回動させることで開口部分３５を任意の位置に設定することができる。
【００４４】
さらに、配管カバー１があらゆる方向で壁部２に取り付けられても（施工されても）ウェザーカバー８の回動位置を調整してウェザーカバー８の開口部分３５を常に下向きに配置することができる。
【００４５】
なお、本実施形態において、突出部２９が円筒形状の例を示したが、円筒形状の他に、断面矩形状の四角柱形（角筒形状）など任意の形状のものを適宜採用しても良い。
【００４６】
また、本実施形態において、係合突部４２自体は弾性を有しておらず、係合突部４２が設けられている側壁４１が弾性変形することによって、係合突部４２がスリットに弾性係合する例を示したが、係合突部４２自体が弾性変形することでスリット間を乗り越えるように、例えば、係合突部４２をウェザーカバー８の側壁４１に突設した係合片で形成しても良い。
【００４７】
また、本実施形態では、通気口として、突出部２９の周側壁３１の周方向全域にスリットを設けたが、周方向の全域に設けなくても良い。また、通気口としてはスリット以外に単なる開口でも良い。さらに、本実施形態では、通気口として複数のスリットを円筒状の突出部２９の軸方向に沿って設けた例を示したが、これに限らず、複数のスリットは突出部２９の軸方向に対して傾斜していても良く、周方向に沿って複数のスリットを形成しても良い。
【００４８】
また、上記実施形態では、突出部２９の直径が、開口９の直径よりも大きい例について説明したが、開口９の直径よりも小径の突出部２９の場合もある。開口９の直径よりも小径の突出部２９の場合であっても、通気口１１は、開口９の外周縁部１０の面方向であって、開口９から放射状に向かう方向に向けて開口して設けられる。
【００４９】
（第２実施形態）
次に、図７に示す第２実施形態の配管カバー５１について説明する。本実施形態のカバー５１は、上記第１実施形態におけるウェザーカバー８に相当する構成がなく、カバー部５４の外周側壁部５７に通気口６３を設けた例である。なお、上記第１実施形態と同じ構成部分については、同符号を使用して説明する。
【００５０】
図７（ａ）に示すように、本実施形態のカバー５１は、建物の壁部２に形成した貫通孔３を通して屋外に導出され壁面４に沿って屈曲・配設される電線、配管類からなる配管類５の屈曲部分６を壁面４との間で覆うカバー本体５２を備えている。
【００５１】
カバー本体５２は、ベース５３と、このベース５３に組み付けられるカバー部５４とで形成され、一側（図７において上方）は閉鎖され、他側（図７において下方）は開口されている。この開口部分５５から、配管類５が引き出される。カバー部５４は、開口９の外周縁部１０に当接する鍔部５６と、この鍔部５６から立ち上がる外周側壁部５７と、貫通孔３の屋外に面した開口９に相対する相対壁部５８とで形成されている。鍔部５６には、先端側にねじ穴５９を有した取付片６０が設けられている。外周側壁部５７は、開口部分５５と反対側の先端壁部６１と、この先端壁部６１の両側の側壁６２、６２（但し、図７では片側のみ表示）とで構成されている。これらの側壁６２、６２は、貫通孔３の開口９の外周縁部１０から立ち上がる方向に形成されており、通気口６３がそれぞれ設けられている。また、通気口６３は、貫通孔３の開口９の外周縁部１０の面方向に沿ってそれぞれ開口しており（給排気ダクト３２からの給排気される空気の流れ方向に対して交差する方向に向けて開口している）、所定の間隔で形成された複数のスリット６４で形成されている。さらに、スリット６４は、図７（ｂ）に示すように、屋外側の開口６５からカバー５１内の開口６６に向けて登り傾斜にそれぞれ形成されている。
【００５２】
この実施形態のカバー５１では、側壁６２に、開口９の外周縁部１０側に向けて開口した通気口６３を設けたことにより、強い風雨が建物の壁面に吹き付けても、通気口６３が、カバー本体の外周側壁部に設けられているので、貫通孔３内に侵入しにくく、屋内への雨水や風の侵入を防止することができる。
【００５３】
さらに、通気口６３がカバー本体５２の側壁６２の外方から内方に向けて傾斜しているので、強い風雨が建物の壁面に吹き付けても、貫通孔内に侵入しにくく、屋内への雨水や風の侵入を防止することができる。
【００５４】
また、本実施形態では、ウェザーカバーを設けなくても、カバー本体５２の側壁６２、６２に通気口を設けることにより雨水や風の侵入を防止することができるので、部品点数及び取付工数を低減することができる。
【００５５】
また、本実施例では、通気口６３を形成するスリット６４に屋外側からカバー部５４内に向けて登り傾斜としたが、下り傾斜でも良い。
【００５６】
また、本実施例では、通気口６３を形成する複数のスリットが、開口９から導出され壁面４に沿って配設される配管類５の配設方向に沿って複数段に設けられた例を示したが、配管類５の配設方向に沿うスリットを、配管類５の配設方向と交差する方向に沿って複数列設けても良い。
【図面の簡単な説明】
【００５７】
【図１】第１実施形態を示し、建物の壁面に取り付けられたカバーの内部を示す断面図である。
【図２】第１実施形態を示し、カバーを示す分解斜視図である。
【図３】第１実施形態を示しウェザーカバーの裏面側を示す斜視図である。
【図４】第１実施形態を示しカバーとウェザーカバーとの関係を示す斜視図である。
【図５】第１実施形態を示しカバーに対するウェザーカバーの取付位置の他の例を示す斜視図である。
【図６】第１実施形態を示しカバーに対するウェザーカバーの取付位置の他の例を示す斜視図である。
【図７】第２実施形態を示し、（ａ）はカバーを示す斜視図、（ｂ）はスリット状の通気口を示す断面図である。
【符号の説明】
【００５８】
１、５１  カバー
２  壁部
３  貫通孔
４  壁面
５  導出管線体
６  屈曲部分
７、５２  カバー本体
９  開口
１０  外周縁部
１１、６３  通気口
５７  外周側壁部
６２  側壁
【図１】
2005233313.tif 000003
【図２】
2005233313.tif 000004
【図３】
2005233313.tif 000005
【図４】
2005233313.tif 000006
【図５】
2005233313.tif 000007
【図６】
2005233313.tif 000008
【図７】
2005233313.tif 000009